(57)【要約】【課題】  従来の着脱式拾球具は、取付部をグリップエンドに取付けるとボール保持部がグリップエンドの外側に突出するため、取付けたままパターをキャディバッグ等にヘッドを上にして収容するとボール保持部が破損したりしていた。【解決手段】  本発明の着脱式拾球具は、パターのグリップエンドに開口された孔に抜き差し可能な軸と、その軸に取り付けられた保持具を備え、前記保持具はゴルフボールを保持可能な二つの保持部が間隔をあけて対向して設けられ且つカップ内に差込み可能な形状及びサイズに形成され、前記二つの保持部の間隔はゴルフボールの直径より狭いがゴルフボールに押し付けると拡がってゴルフボールを挟着保持可能なバネ性を備え、保持具はグリップエンドの外側に突出する位置からパターグリップの両側面に二つの保持部が被さる位置まで回動可能としてある。【選択図】図１
2008173431.tif 000002
【特許請求の範囲】
【請求項１】
パターのグリップエンドに開口された孔に抜き差し可能な軸と、その軸に取り付けられた保持具を備え、前記保持具はゴルフボールを保持可能な二つの保持部が間隔をあけて対向して設けられ且つカップ内に差込み可能な形状及びサイズに形成され、前記二つの保持部の間隔はゴルフボールの直径より狭いがゴルフボールに押し付けると拡がってゴルフボールを挟着保持可能なバネ性を備え、保持具はグリップエンドの外側に突出する位置からパターグリップの両側面に二つの保持部が被さる位置まで回動可能であることを特徴とする着脱式拾球具。
【発明の詳細な説明】
【技術分野】
【０００１】
本発明はパターのグリップエンドの孔に差込んで、プレイヤーが立ったままでグリーン上のカップ内のゴルフボールを拾うことができる着脱式拾球具に関するものである。
【背景技術】
【０００２】
ゴルフではカップインしたボールはプレイヤーが屈み込んでカップ内に手を入れて拾い上げている。しかし、屈み込んでボールを拾い上げるのは面倒であり、特に腰痛や膝痛のプレイヤーにとっては身体的負担が大きい。こうした面倒や負担の解消のため、従来は以下の特許文献に示すような着脱式拾球具が種々開発されている。それら特許文献記載の着脱式拾球具はパターのグリップエンドに取付け可能な取付け部にボール保持部が固定されており、ボール保持部は略ボール形状にしてある。この着脱式拾球具は取付け部をグリップエンドに取付けるとボール保持部がグリップエンドの外側に突出し、プレイヤーが立ったままパターを上下逆にしてボール保持部をカップ内に差し込んでカップ内のゴルフボールを拾い上げられるようにしてある。
【０００３】
【特許文献１】特開２００３−３０５１４１号公報。
【特許文献２】特開２００３−１７５１３２号公報。
【特許文献３】特開２００３−６２１２９号公報。
【特許文献４】特開２００１−１２９１２５号公報。
【特許文献５】特開平１０−５７５２８号公報。
【特許文献６】特開平７−３１３６３３号公報。
【特許文献７】特開平７−２３６７０９号公報。
【特許文献８】実用新案登録第３１１０２８１号公報。
【特許文献９】実用新案登録第３０３３９７０号公報。
【特許文献１０】実用新案登録第３００６６５４号公報。
【発明の開示】
【発明が解決しようとする課題】
【０００４】
従来の着脱式拾球具は取付け部をグリップエンドに取付けるとボール保持部がグリップエンドの外側に突出したままであるため次のような課題がある。
（１）着脱式拾球具を取付けたままではパッティングの邪魔になる。
（２）パターヘッドを上にしてパターをキャディバッグやカートのパター入れ（以下単に「キャディバッグ等」とする。）に収容すると、ボール保持部がキャディバッグ等の底部に当たって壊れてしまうため、キャディバッグ等へのパター収容時には着脱式拾球具を一々取外さなければならず面倒である。このため実用化されていないのが実情である。
【課題を解決するための手段】
【０００５】
本発明の着脱式拾球具は、パターのグリップエンドに開口された孔に抜き差し可能な軸と、その軸に取り付けられた保持具を備え、前記保持具はゴルフボールを保持可能な二つの保持部が間隔をあけて対向して設けられ且つカップ内に差込み可能な形状及びサイズに形成され、前記二つの保持部の間隔はゴルフボールの直径より狭いがゴルフボールに押し付けると拡がってゴルフボールを挟着保持可能なバネ性を備え、保持具はグリップエンドの外側に突出する位置からパターグリップの両側面に二つの保持部が被さる位置まで回動可能としてある。
【発明の効果】
【０００６】
本件出願の着脱式拾球具は次のような効果がある。
（１）ゴルフボールを保持可能な二つの保持部を、間隔をあけて対向配置したので、保持具をグリップエンドの外側に突出させると、プレイヤーが立ったままパターを上下逆にして保持具をカップ内に差し込んでカップ内のゴルフボールを拾い上げることができ、前屈みにならずともカップ内のゴルフボールを拾うことができる。
（２）二つの保持部がグリップエンドの外側に突出する位置からパターグリップの両側面に被さる位置まで回動可能であるので、保持具を回動させて二つの保持部をパターグリップの両側面に被せれば着脱式拾球具をグリップエンドに取付けたままパッティングすることができる。また、パターヘッドを上にしてキャディバッグ等に収容しても保持具がキャディバッグ等の底部に当たらず、破損するおそれがない。
【発明を実施するための最良の形態】
【０００７】
（実施形態１）
本発明の着脱式拾球具の実施形態の一例を図１〜図４を示して説明する。この着脱式拾球具は、パターグリップのグリップエンドの孔に差し込んで使用するものであり、図１に示すようにパターグリップ１のグリップエンド２に開口された孔３に抜き差し可能な軸４の上端に図２のようにゴルフボール６を保持可能な保持具５を取付けてなる。
【０００８】
前記軸４は下端が尖った細長棒であり、前記孔３に圧入できる太さにして、孔３へ差し込むと不用意に抜け落ちないようにしてある。この軸４の上端は図１、図２に示すように方形のブロック７に固定されている。
【０００９】
前記保持具５は図１、図２に示すように板状の二つの保持部８と連結部９とが一体に樹脂成型されて、ゴルフボール６を保持可能な二つの保持部８が間隔をあけて対向配置されており、二つの保持部８は連結部９からの立ち上がり部分１０で多少開閉可能なバネ性を備えている（図５ｂ参照。）。二つの保持部８は先端側を外側に多少円弧状に膨らませてゴルフボール６を保持し易くしてある。連結部９はコ字形に成型されている。
【００１０】
前記保持具５は図３に示すようにグリーン上のカップ１１内に差込み可能な形状、サイズ、間隔に成型されている。二つの保持部８の間隔は図５（ａ〜ｃ）に示すように、ゴルフボール６の直径より狭く形成されているが、二つの保持部８の間隔をゴルフボール６に被せて押し付けると間隔が拡がってゴルフボール６が両保持部８間に侵入し、二つの保持部８の前記バネ性により挟着保持されるようにしてある。二つの保持部８の間隔は図４に示すようにパターグリップ１の両側面に被せることもできる間隔としてある。
【００１１】
前記保持具５はコ字形の連結部９裏面が、それと同形のコ字形の基板１２に接着剤で貼り付けられている。保持具５と基板１２は樹脂で一体成型することもできる。
【００１２】
前記基板１２は前記ブロック７の外周三辺の外側に被せて配置され、基板１２の外側から差し込んだ連結ピン１３がブロック７を貫通して差し込まれて、基板１２とブロック７が回動可能としてあり、この回動により保持具５が図１のグリップエンド２の外側に突出する位置から図４のパターグリップ１の側面外側に被さる位置まで（図５ａｂの実線位置から鎖線位置まで）図５（ａ）の矢印Ａ方向に回動できるようにしてある。
【００１３】
（使用例１）
本発明の着脱式拾球具の使用例について説明する。この着脱式拾球具は図１に示すように軸４をグリップエンド２の孔３に差込んでパターグリップ１に装備して使用する。この着脱式拾球具でカップ１１内のゴルフボール６を拾い上げるには次のようにする。図３に示すようにパター１４を上下逆にして保持部８をカップ１１内に差し込み、グリップエンド２の外側に突出した二つの保持部８をゴルフボール６に押し付けて、二つの保持部８のバネ性によってゴルフボール６を挟着保持する。ゴルフボール６を挟着保持できたらパター１４をカップ１１内から引き上げてゴルフボール６をカップ１１外へと取り出す。そのゴルフボール６はプレイヤーが手で引っ張って取外す。
【００１４】
着脱式拾球具を装備したままパター１４を使用してパッティングする場合は、保持具５を図３のように回動させて二つの保持部８をパターグリップ１の両側面に被せる。その状態でヘッド１５を下にして通常通りパッティングする。この場合、二つの保持部８はグリップする際に邪魔にならない。このように回動させた場合はパター１４のヘッド１５を上にしてキャディバッグ等に収容することができる。この場合、保持具５がキャディバッグ等の底部に当たらず破損するおそれがない。
【００１５】
キャディバッグ等に収容したパター１４は取り出してそのまま（着脱式拾球具が取り付けられている状態で）パッティングすることができる。カップインの後は保持具５を回動させて図３のようにグリップエンド２の外側に突出させてカップ１１内のゴルフボール６を拾い上げる。
【００１６】
（実施形態２）
本発明の着脱式拾球具の保持具５は前記実施形態１のように樹脂板を略Ｕ字型に変形させて形成したものには限らず、例えば、図６に示すように金属線を曲げて二つの枠状の保持部８を対向させることもできる。また、図６の保持具５は、金属線には限られず、線状の樹脂材を枠状に曲げて形成したものとすることもできる。また、保持具５の形状、材質等は、前記したものには限られず、他のものにすることができる。
【００１７】
（実施形態３）
前記各実施形態記載の着脱式拾球具は、図１〜図６に示すように方形のブロック７と、そのブロック７の外周三辺の外側に被せて配置されるコ字形の基板１２とが連結ピン１３で組合されているが、ブロック７と基板１２の形状はこれには限られず任意とすることができる。従って、例えば、ブロック７を半円板とし、そのブロックの円弧部の外側に被せて配置可能な形状の基板１２を組合せることもできる。
【００１８】
（実施形態４）
保持具５と軸４とは、グリップエンド２の外側に突出する位置からパターグリップ１の両側面に被さる位置まで保持具５を回動可能であれば、図１〜図６に示すような、基板１２とブロック７とを連結ピン１３で組合せた連結構造に限られず、任意の連結構造とすることができる。従って、例えば図７に示すユニバーサルジョイント式とすること等もできる。図７に示す着脱式拾球具は、軸４の上端部に備えられた回動球１６を保持具５と一体に成形されたブロック状のカバー１７で回動自在に覆い、前記カバー１７にスリット１８を開口し、そのスリット１８から軸４を外側に突出させて、回動球１６の回転に伴ってスリット１８に沿って軸４を上下回動可能とし、保持具５を上下回動可能としたものである。
【００１９】
（実施形態５）
本発明の着脱式拾球具は、図８に示す構造のものとすることもできる。図８の着脱式拾球具では、保持具５、基板１２、連結ピン１３は樹脂で一体成型されている。また、ブロック７は、上ブロック２１と下ブロック２２とを組合わせて形成されたものとしてある。前記上ブロック２１の下面には、前記連結ピン１３を配置する溝２３と、上ブロック２１を下ブロック２２に組合わせて固定するための嵌合突起２４が設けられている。前記下ブロック２２の上面には、前記連結ピン１３を配置する溝２５と、前記嵌合突起２４を嵌入して上ブロック２１と下ブロック２２とを組合せる嵌合孔２６が設けられ、下面には軸４が設けられている。この軸４は、図８に示すように、グリップエンド２の孔３に差し込んだ際に孔３から脱落しないように径を大きくした係止部２７が複数個所に形成してある。図８の着脱式拾球具は、上ブロック２１の溝２３と下ブロック２２の溝２５との間に連結ピン１３を配置して、上ブロック２１の嵌合突起２４を下ブロック２２の嵌合孔２６内に嵌入してブロック７を完成させてある。このとき連結ピン１３はブロック７内に回転可能に収容される。
【産業上の利用可能性】
【００２０】
本発明の着脱式拾球具は、カップ内のゴルフボールの拾取用には限られず、ゲートボール用のボールの拾取用等、他のスポーツに用いるボールの拾取用にも広く応用することができる。
【図面の簡単な説明】
【００２１】
【図１】本発明の着脱式拾球具の実施形態の一例を示す斜視図。
【図２】図１に示す着脱式拾球具の分解説明図。
【図３】図１に示す着脱式拾球具を用いてカップ内のゴルフボールを拾取する様子を示す説明図。
【図４】図１に示す着脱式拾球具の保持具を回動させた様子を示す斜視図。
【図５】（ａ）〜（ｃ）は図１に示す着脱式拾球具を示す説明図。（ａ）は正面図。（ｂ）は側面図。（ｃ）は平面図。
【図６】本発明の着脱式拾球具の実施形態の他の一例を示す斜視図。
【図７】本発明の着脱式拾球具の実施形態のその他の例を示す斜視図。
【図８】本発明の着脱式拾球具の実施形態のその他の例を示す分解斜視図。
【符号の説明】
【００２２】
１  パターグリップ
２  グリップエンド
３  孔
４  軸
５  保持具
６  ゴルフボール
７  ブロック
８  保持部
９  連結部
１０  立ち上がり部分
１１  カップ
１２  基板
１３  連結ピン
１４  パター
１５  ヘッド
１６  回動球
１７  カバー
１８  スリット
２１  上ブロック
２２  下ブロック
２３  溝
２４  嵌合突起
２５  溝
２６  嵌合孔
２７  係止部
【図１】
2008173431.tif 000003
【図２】
2008173431.tif 000004
【図３】
2008173431.tif 000005
【図４】
2008173431.tif 000006
【図５】
2008173431.tif 000007
【図６】
2008173431.tif 000008
【図７】
2008173431.tif 000009
【図８】
2008173431.tif 000010